(57)【要約】【課題】  プラテンガラスを極力汚さないように原稿を搬送することができ、撓み難い原稿を搬送しても異音が発生することのない画像読取装置を提供する。【解決手段】  本コピー・ファクシミリ複合機１は、読取位置Ｐの上流側の下側ガイド面を構成するガイド面１３の下流端に、切欠き部１３ａが幅方向に所定間隔で並設され、該切欠き部１３ａに、原稿を読取位置Ｐへ搬送する搬送ローラ６が夫々配設され、ガイド面１３と略同幅であって各搬送ローラ６に対応する位置に切抜き部７０が形成された弾性フィルム７が、切欠き部１３ａの搬送ローラ６の下流側及びガイド面１３の下流端から読取位置Ｐの直上流に延出するように、原稿押えカバー本体１０ａの下面に貼設されたものである。【選択図】図２
2005104609.tif 000002
【特許請求の範囲】
【請求項１】
原稿トレイ上の原稿を、搬送路の入口付近に配設された給紙ローラにより搬送路へ送り込み、搬送ローラにより読取位置へ搬送して画像読取りを行い、搬送路の出口近傍に配設された排紙ローラにより排紙トレイへ排出する画像読取装置において、
前記読取位置の上流側の下側ガイド面を構成するガイド部材の下流端に、切欠き部が幅方向に所定間隔で並設され、該切欠き部に、原稿を読取位置へ搬送する搬送ローラが夫々配設され、前記ガイド部材と略同幅であって前記各搬送ローラに対応する位置に切抜き部が形成された弾性フィルムが、前記切欠き部の搬送ローラ下流側及びガイド部材の下流端から前記読取位置の直上流に延出するように、前記ガイド部材の下面に貼設されたことを特徴とする画像読取装置。
【発明の詳細な説明】
【技術分野】
【０００１】
本発明は、スキャナ、ファクシミリ、複写機等において、原稿トレイ上の原稿を搬送路を通じて読取位置へ搬送して画像読取りを行う画像読取装置に関する。
【背景技術】
【０００２】
スキャナ、ファクシミリ、複写機等においては、複数枚の原稿を順次給紙するオート・ドキュメント・フィーダー（以下「ＡＤＦ」という。）等による画像読取装置が装備されているものがあり、該画像読取装置によれば、原稿トレイ上に載置された複数枚の原稿を連続的且つ自動的に読取位置へ搬送して画像読取りを行うことができる。
【０００３】
図９は、ＡＤＦを装備するコピー・ファクシミリ複合機９００の外観を示す概略斜視図であるが、図に示すように、コピー・ファクシミリ複合機９００は、読み取るべき原稿を載置するプラテンガラスが配設された読取載置台９０１と、該原稿をプラテンガラス上に押圧して固定する原稿押えカバー９０２と、原稿の読取り開始等を入力するための操作パネル９０３と、記録用紙に画像を記録する画像記録部、画像を電送するための送信部等を内蔵した本体９０４と、読み取った画像を記録するための記録用紙を供給する給紙カセット９０５とを具備してなる。本コピー・ファクシミリ複合機９００では、原稿押えカバー９０２内のＡＤＦにより、原稿トレイ９０６上の原稿が原稿トレイ９０６の下方に設けられた排紙トレイ９０７へ上方から下方へＵターンするように搬送され、その搬送過程においてプラテンガラス上の読取位置を通過する際に、読取載置台９０１内に設けられたＣＣＤにより、該原稿の画像読取りが行われるようになっている。
【０００４】
図１０は、従来の画像読取装置の構成の一例であるが、図に示すように、原稿トレイ９０６から読取位置Ｐを経て排紙トレイ９０７へ横向きＵ字状の搬送路９０８が形成されている。該搬送路９０８は、内側ガイド面を構成するガイド部材９０９と外側ガイド面を構成する原稿押えカバー９０２のケーシング９１０とにより形成されており、ガイド部材９０９及びケーシング９１０には搬送ローラ９１１等が適宜配設されている。ケーシング９１０は、読取位置Ｐで開口しており、搬送路９０８を搬送されている原稿が該開口、即ち読取位置Ｐを通過する際に、プラテンガラス９１２を介して不図示のＣＣＤユニットにより画像が読み取られる。
【０００５】
前述したような従来の画像読取装置において、搬送路９０８を搬送されている原稿が読取位置Ｐに到達する際には、ケーシング９１０のガイド面によって案内された原稿の先端が読取位置Ｐでプラテンガラス９１２に当接し、該プラテンガラス９１２に沿って摺動しながら読取位置Ｐを通過することとなる。これにより、紙粉や原稿のトナー等が付着してプラテンガラス９１２を汚し、読取画像が劣化したり乱れるという問題が発生する。また、プラテンガラス９１２の上流端と読取載置台９０１のフレームとの継ぎ目に原稿の先端が当たり、異音が発生したり原稿が破損するという問題もある。
【０００６】
これに対し、ステンレスの薄板からなる押え板をケーシング９１０のガイド面から読取位置Ｐ側ヘ突設させて、搬送される原稿を内側のガイド部材９０９に接触するように案内して、該原稿がプラテンガラス９１２に当接することを防止する構成が考案されている（特許文献１参照）。しかし、該押え板を固定するにはネジ等の固定用補材が必要であり、更に、原稿の厚み等に柔軟に対応しながら原稿をガイド部材９０９に押圧できるように、前記押え板に回転支点を設けてケーシング９１０に軸支し、コイルバネにより付勢する等、その他の部材も多く必要となり、また、これら複数の部材を取り付けるためのスペースも確保する必要がある。一方、ステンレス製の押え板に代えて、樹脂製の弾性フィルムを押え板として用いれば、弾性フィルム自体が原稿の厚み等に対応して弾性変形するので、ケーシング９１０に弾性フィルムを貼設するだけでよく、簡易且つ省スペースで前述と同様の効果を実現することができる。
【０００７】
【特許文献１】実開平７−４２２５８号公報
【発明の開示】
【発明が解決しようとする課題】
【０００８】
図１０に示したように、従来の画像読取装置においては、搬送路９０８の読取位置Ｐの上流側には搬送ローラ９１１が対向して設けられ、原稿をニップした状態で搬送するようになっている。図１１に示すように、該搬送ローラ９１１は、Ａ４サイズやＢ４サイズ等の種々の幅の原稿を搬送できるように、同一のローラ軸に所定幅の搬送ローラ９１１が幅方向に所定間隔で並設されており、該搬送ローラ９１１の配設位置に合わせて、ガイド部材９１０に切欠き９１０ａを形成して、各搬送ローラ９１１のローラ面を露呈している。また、読取位置Ｐにおいて原稿の搬送を安定させるには、読取位置Ｐにできるだけ近い位置において搬送ローラ９１１により原稿をニップすることが好適であるので、各搬送ローラ９１１を配設するための切欠き９１０ａが、読取位置Ｐ近くに形成されており、そのため、搬送ローラ９１１の下流側にはガイド部材９１０によるガイド面がない。したがって、前述したような弾性フィルム９１３を設ける場合には、図に示すように、前記切欠き９１０ａを除いた部分、即ち搬送ローラ９１１の下流側以外の部分に貼設している。
【０００９】
しかし、分厚い原稿や撓み難い原稿が搬送された場合には、原稿が当接することにより前記弾性フィルム９１３がプラテンガラス９１２側ヘ大きく弾性変形することがある。また、原稿の搬送速度が高速化されることにより、原稿が当接する際の衝撃が大きくなって弾性フィルム９１３が同様に大きく弾性変形することもある。その際、弾性フィルム９１３が貼設されていない部分、即ち搬送ローラ９１１の下流側では、原稿の先端がプラテンガラス９１２の上流端に衝突して異音を発生させたり、該衝突により原稿が損傷するという問題が発生する。かかる問題を防止するために、プラテンガラス９１２の上流端と読取載置台９０１のフレームとの継ぎ目を覆うようにフィルムを別途貼り付けていたが、プラテンガラス９１２は定期的に布等で清掃されるため、該フィルムが清掃時に捲れてしまうことが多く、頻繁に貼りつけ直さなければならないという別の問題が生じる。
【００１０】
本発明は、このような問題を課題を解決すべくなされたものであり、プラテンガラスを極力汚さないように原稿を搬送することができ、撓み難い原稿を搬送しても異音が発生することのない画像読取装置を提供することを目的とする。
【課題を解決するための手段】
【００１１】
本発明は、原稿トレイ上の原稿を、搬送路の入口付近に配設された給紙ローラにより搬送路へ送り込み、搬送ローラにより読取位置へ搬送して画像読取りを行い、搬送路の出口近傍に配設された排紙ローラにより排紙トレイへ排出する画像読取装置において、前記読取位置の上流側の下側ガイド面を構成するガイド部材の下流端に、切欠き部が幅方向に所定間隔で並設され、該切欠き部に、原稿を読取位置へ搬送する搬送ローラが夫々配設され、前記ガイド部材と略同幅であって前記各搬送ローラに対応する位置に切抜き部が形成された弾性フィルムが、前記切欠き部の搬送ローラ下流側及びガイド部材の下流端から前記読取位置の直上流に延出するように、前記ガイド部材の下面に貼設されたことを特徴とする。
【発明の効果】
【００１２】
本発明によれば、弾性フィルムに各搬送ローラに対応する切抜き部を形成して、搬送ローラが配設されたガイド部材の下流端及び各搬送ローラの下流側から延出するようにしたので、ガイド部材の下流側において弾性フィルムが貼設されていない部分がなくなり、原稿が当接することにより弾性フィルムがプラテンガラス側ヘ大きく弾性変形した際に、弾性フィルムがプラテンガラスの上流端側全体を覆うので、原稿の先端がプラテンガラスの上流端に当接することがない。これにより、原稿搬送時の異音の発生が防止され、原稿が損傷することもない。また、原稿がプラテンガラスの読取位置を摺動することが抑制され、プラテンガラスが汚されることを防止できる。
【発明を実施するための最良の形態】
【００１３】
図１は、本発明の実施の形態に係る画像読取装置であるコピー・ファクシミリ複合機１の上部の断面を示す図である。図に示すように、該コピー・ファクシミリ複合機１は、複数枚の原稿を積重状態で担持する原稿トレイ２と、横向きＵ字状の搬送路３と、搬送後の原稿を積重状態で担持する排紙トレイ４と、原稿トレイ２上の原稿を搬送路３へ送り込む給紙ローラ５と、搬送路３において原稿をニップして搬送する搬送ローラ６と、読取位置Ｐの上流側に設けられた弾性フィルム７と、搬送路３の出口付近に設けられた排紙ローラ８と、読取位置Ｐにおいて原稿の画像読取りを行う読取ユニット９を具備してなる。なお、図には示していないが、本コピー・ファクシミリ複合機１は、原稿の読取り開始等を入力するための操作パネル、記録用紙に画像を記録する画像記録部、画像を電送するための送信部、及び読み取った画像を記録するための記録用紙を供給する給紙カセット等の周知の構成をも具備しており、また、これら周知の構成は一例且つ任意のものである。
【００１４】
コピー・ファクシミリ複合機１において、原稿トレイ２から搬送路３へ繰り込まれた原稿は、横向きＵ字状の搬送路３に沿って上方から下方へＵターンするように反転して読取位置Ｐに至り、該読取位置Ｐを通過する際に読取ユニット９により原稿の画像が読み取られて、原稿トレイ２の下方の排紙トレイ４へ排出されるようになっている。なお、本コピー・ファクシミリ複合機１によって搬送される原稿は、コピーやプリンタに汎用される各種サイズの所謂普通紙の他、搬送路を通過可能な厚みであって横向きＵ字状の搬送路に沿って湾曲可能なものである。
【００１５】
原稿トレイ２は、図２に示すように、原稿押えカバー１０の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を搬送路３の入口に挿入するようにして載置する。なお、図には示していないが、原稿トレイ２には、原稿の幅方向の位置を規制して原稿の斜め送りを防止する可変式のガイドが設けられている。
【００１６】
搬送路３は、原稿トレイ２からは排紙トレイ４へ横向きＵ字状に形成されており、その折返し部分の直下流で読取位置Ｐとなるプラテンガラス１１上を通過し、読取位置Ｐの下流側は斜め上方に向かって傾斜している。該搬送路３は、原稿押えカバー１０内に配設されたペーパガイド（ガイド部材）３０が内側ガイド面を構成し、原稿押えカバー１０のカバー本体（ガイド部材）１０ａ及びＡＤＦカバー１０ｂが外側ガイド面を構成して、所定の厚みの原稿が通過可能なものとなっている。なお、搬送路３を構成する内側及び外側の各ガイド部材は、本実施の形態で示したペーパガイド３０及びカバー本体１０ａに限定されるものではなく、本発明の要旨を変更しない範囲で他の形態をとり得るが、原稿押えカバー１０のカバー本体１０ａ及びＡＤＦカバー１０ｂが外側ガイド部材も兼ねるようにプラスチック材を用いて一体成形することにより、部品点数が削減され組付けも容易となるので好ましい。
【００１７】
前記ペーパガイド３０には、図３に示すように、前記給紙ローラ５、搬送ローラ６、及び排紙ローラ８（不図示）等が組み付けられるようになっており、更に、駆動ギヤ（不図示）等が組み付けられて、原稿押えカバー１０のカバー本体１０ａに配設される。該カバー本体１０ａは、図３及び図４に示すように、ペーパガイド３０の取付部分に開口１２が形成されており、ペーパガイド３０に沿って搬送された原稿は、該開口１２においてプラテンガラス１１上の読取位置Ｐを通過し、読取ユニット９により画像読取りされる。該開口１２の上流側及び下流側は、各々開口１２から上方へ向かって傾斜してガイド面１３，１４となっており、これらガイド面１３，１４が、横向きＵ字状の搬送路の折返し部分より下流側であって読取位置Ｐの上流及び下流の外側ガイド面（下側ガイド面）を構成する。ガイド面１３，１４の下流側端には、切欠部１３ａ，１４ａが夫々幅方向に３個所又は２個所形成されており、該切欠部１３ａ，１４ａに搬送ローラ６又は排紙ローラ８が夫々配設されるようになっている。このように、原稿カバー１０のカバー本体１０ａに、読取位置Ｐの上流及び下流の下側のガイド面となるガイド面１３，１４を一体成形することにより、カバー本体１０ａへのガイド部材の取付作業が不要となり、部品点数及び組立工数が低減される。また、図には示していないが、ペーパガイド３０が組み付けられたカバー本体１０ａに、ＡＤＦカバー１０ｂが開閉可能に配設される。なお、ペーパガイド３０により形成される内側ガイド面や外側ガイド面となるガイド面１３，１４には、原稿との摩擦力を軽減等する目的で適宜紙送りリブが形成されている。
【００１８】
給紙ローラ５は、図２に示すように、ペーパガイド３０の上方に配設されて、原稿トレイ２から繰り込まれた原稿と圧接しながら回転することにより該原稿を搬送路へ送り込むものであり、例えば、金属製のローラ軸にシリコン製やＥＰＤＭ（Ｅｔｈｙｌｅｎｅ−Ｐｒｏｐｙｌｅｎｅ−Ｄｉｅｎｅ  Ｍｅｔｈｉｌｅｎｅ  ｌｉｎｋａｇｅ：エチレンプロピレンジエン三元共重合体）製のローラが固定されてなる。さらに、該給紙ローラ５の上流側には、原稿トレイ２に載置された原稿の最上紙を繰り出すためのピックアップローラ５０が配設されている。ピックアップローラ５０も、給紙ローラ５と同様に、原稿と圧接しながら回転することにより該原稿を搬送路へ繰り込むものであり、不図示の給紙クラッチにより上下方向に揺動する揺動アーム５１に支持されている。該揺動アーム５１の揺動により、ピックアップローラ５０は、原稿トレイ２に原稿を載置する際等の通常の状態ではペーパガイド３０から離されており、原稿繰込み時に原稿の最上紙と接触するように降下し、ピックアップローラ５０及び給紙ローラ５が回転することにより、原稿の最上紙が搬送路ヘ繰り込まれる。なお、ピックアップローラ５０はペーパガイド３０に接触するまで降下可能であるので、原稿枚数により原稿の束の厚さが変化しても常に最上紙と接触可能である。また、図には示していないが、前記原稿トレイ２の原稿の有無は原稿セットセンサにより検知され、該検知信号に基づいて制御手段が給紙ローラ５、ピックアップローラ５０及び揺動アーム５１の動作を制御するものとなっている。
【００１９】
一方、前記給紙ローラ５の下方には分離パッド５２が設けられている。該分離パッド５２は、原稿に対する摩擦係数が給紙ローラ５の原稿に対する摩擦係数より低く、且つ原稿同士の摩擦係数より高いものであり、例えばウレタン系樹脂で成形することが可能である。このような分離パッド５２が分離パッドホルダ５３の上面に貼設されている。該分離パッドホルダ５３は、ペーパガイド３０の上面に揺動可能に嵌め込まれてコイルバネ５４により上方向に付勢されており、これにより、分離パッド５２が前記給紙ローラ５のローラ面に圧接され、該圧接部分を通過する原稿の厚みに応じて下方へ回動可能となっている。
【００２０】
搬送ローラ６及び排紙ローラ８は、前述したように、ペーパガイド３０及びカバー本体１０ａに夫々配置されており、金属製のローラ軸にシリコン製やＥＰＤＭ製のローラが所定間隔で固定されてなり、該ローラ軸にモータ等の駆動源からの回転力が伝達されることにより回転するものである。このような搬送ローラ６及び排紙ローラ８が搬送路３の対向位置に圧接状態で夫々配置されることにより、搬送路３において原稿をニップして搬送及び排紙するようになっている。ここで、読取位置Ｐの上流側の搬送ローラ６は、読取位置Ｐにおける原稿の搬送を安定させるために、読取位置Ｐにできるだけ近い位置に配置されている。なお、搬送路の形状や距離に応じて更に搬送ローラ６を配設することも可能であり、また、一つのローラ軸に固定すべきローラの数や位置は、搬送すべき原稿のサイズ等を考慮して設定される。
【００２１】
また、図５に示すように、前記カバー本体１０ａのガイド面１３の下方には弾性フィルム７が貼設されている。該弾性フィルム７は、搬送中の原稿を案内できる程度の適度な強度を有し、且つ搬送中の原稿が当接した際に弾性変形可能な薄膜状のものであり、例えばポリプロピレンやＰＥＴ等の合成樹脂フィルムである。図６に示すように、弾性フィルム７は、前記ガイド面１３と原稿幅方向が同幅の矩形のものであり、ガイド面１３の３個所に形成された切欠き部１３ａに対応して、原稿幅方向に所定間隔で３個所に切抜き部７０が形成されている。図において、該切抜き部７０を含む斜線で示した領域がカバー本体１０ａの下面に貼設するための貼り代部７１であり、残りの領域がガイド面１３の下流端から突出する突出部７２である。貼り代部７１は、弾性フィルム７の固定強度やカバー本体１０ａの下面のスペースを考慮して設定されており、突出部７２は、読取位置Ｐにまで至らない長さであり、例えば読取位置Ｐより数ミリメートル上流まで延出するように設定されている。図５に示すように、読取位置Ｐの上流側の搬送ローラ６は、読取位置Ｐに近い位置となるようにガイド面１３の下流端近傍に配置されており、切欠き部１３ａに配設された搬送ローラ６の下流側にガイド面１３はなく、さらに該搬送ローラ６の一部は、カバー本体１０ａの下面からも露呈した状態となっている。これに対して、前記弾性フィルム７を、図７に示すように、切抜き部７０と各搬送ローラ６の位置とを対応させてカバー本体１０ａの下面に貼り付けることにより、カバー本体１０ａの下面から露呈した搬送ローラ６と干渉することなく、切欠き部１３ａに配設された搬送ローラ６の下流側、及びガイド面１３の下流端から、プラテンガラス１１の上流端を超えて読取位置Ｐの直上流に至るまで弾性フィルム７を延出させることができる。なお、弾性フィルム７には、リードセンサが原稿を検出するための切欠きや切抜きを一部に形成してもよい。
【００２２】
前記読取ユニット９は、図１に示すように、読取載置台１５内に装備されており、読取位置Ｐへ光を照射する光源９０と、原稿からの反射光Ｒを所定の方向へ導くための反射ミラー９１と、反射光Ｒを収束する集光レンズ９２と、該収束光を電気信号に変換して出力する電荷結合素子（Ｃｈａｒｇｅ  Ｃｏｕｐｌｅｄ  Ｄｅｖｉｃｅ、以下「ＣＣＤ」という。）９３とを備えてなる所謂縮小光学系のＣＣＤ読取ユニットである。このように構成された読取ユニット９により、搬送路を搬送されている原稿の画像を読取位置Ｐでスキャンし、該原稿からの反射光ＲをＣＣＤ９３へ導いて結像するものとなっており、電気信号に変換された画像信号は、アナログ／デジタル変換、シェーディング処理等が施された後、プリンタ等の画像記録部により記録用紙に記録され、又はＣＯＤＥＣ等の送信部により電送される。また、読取ユニット９は、ＡＤＦを用いない場合には、読取載置台１５に載置された原稿をスキャンするためのフラットベッドスキャナの読取ユニットとして用いられる。
【００２３】
このように構成されたコピー・ファクシミリ複合機１により、原稿トレイ２上の原稿が、給紙ローラ６により搬送路３へ送り込まれ、搬送ローラ６により読取位置Ｐへ搬送されて読取ユニット９により原稿の画像読取りが行われ、排紙ローラ８により排紙トレイ４へ排出されるが、以下、読取位置Ｐを通過する原稿の動作について詳細に説明する。
【００２４】
原稿トレイ２からピックアップローラ５０により繰り出され、給紙ローラ５及び分離パッド９により１枚ずつ分離された原稿は、搬送ローラ６にニップされた状態で該搬送ローラ６の回転に従って搬送路３を搬送されて読取位置Ｐに至る。ここで、原稿が普通紙のような撓み易いものであれば、図８（ａ）に示すように、原稿は弾性フィルム７に案内されてペーパガイド３０のガイド面を摺動するようにして読取位置Ｐを通過するので、プラテンガラス１１の読取位置Ｐに原稿が接触することがなく、プラテンガラス１１の読取位置Ｐ上に紙粉や原稿のトナー等が付着して汚されることがなく、読取画像の劣化を防止できる。また、弾性フィルム７によって原稿の通過位置が規制されることにより、原稿のバタツキや弛みが防止され、安定した画像読取りを行うことができる。なお、前述したように、弾性フィルム７は原稿が当接することにより弾性変形可能であり、原稿には過剰な負荷がかからないので、原稿の搬送速度や搬送方向に影響を与えることがなく、読取画像に画歪みが発生したり、紙詰まりが起こることはない。
【００２５】
一方、原稿が撓み難いものである場合には、図８（ｂ）に示すように、原稿の先端が弾性フィルム７に当接することにより、弾性フィルム７の突出部７２が下側へ大きく弾性変形するが、前述したように、弾性フィルム７は、ガイド面１３の下流端のみでなく切欠き部１３ａに配設された搬送ローラ６の下流側からも延出しているので、弾性変形した弾性フィルム７によりプラテンガラス１１の上流端と読取載置台１５のフレームの継ぎ目全体が覆われ、原稿の先端がプラテンガラス１１の上流端に衝突することがなく、異音の発生や原稿の損傷を防止できる。
【００２６】
なお、本実施の形態で示したコピー・ファクシミリ複合機１の構成は、本発明に係る画像読取装置の一態様にすぎず、本発明の要旨を逸脱しない範囲内で適宜設計変更できることは勿論であり、例えば、コピー機やファクシミリ機、スキャナ等の単独機としても実現可能であり、また、読取ユニット９をフラットベッドスキャナと併用せずに専用のものとしたり、ＣＣＤを用いた縮小光学系の読取ユニットに代えて所謂密着形イメージセンサ（Ｃｏｎｔａｃｔ  Ｉｍａｇｅ  Ｓｅｎｓｏｒ、以下「ＣＩＳ」という。）を使用することも可能であり、更にＣＣＤ又はＣＩＳを搬送路３の対向位置等に夫々配置したり、例えば、搬送路３に更に原稿戻し路を設けて原稿の両面読取りを行うようにする等、搬送路３の経路を適宜変更することも可能である。
【産業上の利用可能性】
【００２７】
本発明に係る画像読取装置は、原稿トレイから自動的に読取位置へ原稿を搬送して画像読取りを行い、排紙トレイへ排出する例えばスキャナ、ファクシミリ機、複写機等として利用することができる。
【図面の簡単な説明】
【００２８】
【図１】本実施の形態に係るコピー・ファクシミリ複合機１の上部の構成を示す断面図である。
【図２】読取装置Ｐ近傍の構成を示す拡大断面図である。
【図３】原稿押えカバー本体１０ａとペーパガイド３０との組付けを示す分解斜視図である。
【図４】原稿押えカバー本体１０ａの平面図である。
【図５】原稿押えカバー本体１０ａのガイド面１３及び弾性フィルム７の貼設状態を示す分解斜視図である。
【図６】弾性フィルム７の構成を示す平面図である。
【図７】原稿押えカバー本体１０ａのガイド面１３及び弾性フィルム７の貼設状態を示す平面図である。
【図８】（ａ）は、撓み易い原稿が読取位置Ｐを通過する際の状態を示す図であり、（ｂ）は、撓み難い原稿が読取位置Ｐを通過する際の状態を示す図である。
【図９】従来のコピー・ファクシミリ複合機９００の外観を示す斜視図である。
【図１０】従来のコピー・ファクシミリ複合機９００の断面構造を示す拡大断面図である。
【図１１】従来の弾性フィルム９１３の貼設状態を示す平面図である。
【符号の説明】
【００２９】
１  コピー・ファクシミリ複合機（画像読取装置）
２  原稿トレイ
３  搬送路
４  排紙トレイ
５  給紙ローラ
６  搬送ローラ
７  弾性フィルム
８  排紙ローラ
９  読取ユニット
１０ａ  原稿押えカバー本体（ガイド部材）
１１  プラテンガラス
１３  ガイド面（下側ガイド面）
１３ａ  切欠き部
７０  切抜き部
【図１】
2005104609.tif 000003
【図２】
2005104609.tif 000004
【図３】
2005104609.tif 000005
【図４】
2005104609.tif 000006
【図５】
2005104609.tif 000007
【図６】
2005104609.tif 000008
【図７】
2005104609.tif 000009
【図８】
2005104609.tif 000010
【図９】
2005104609.tif 000011
【図１０】
2005104609.tif 000012
【図１１】
2005104609.tif 000013